(57)【特許請求の範囲】
【請求項１】
交流電源から供給された交流電圧を直流電圧に変換する変換部と、
２以上の整数をＮとした場合にＮを用いて示されるＮ個の光源接続部であって、前記光源接続部ごとに直流電力によって点灯する直流光源ユニットが電気的に接続されるＮ個の光源接続部と、
制御を受けることにより、前記変換部によって変換された直流電圧に基づき供給対象である前記Ｎ個の光源接続部に供給する光源用直流電力を生成して各光源接続部に供給する光源電力供給部と、
前記交流電源から前記変換部に供給される交流電圧の供給有りの状態であるオン状態と、供給の無しの状態であるオフ状態とを検出する電源検出部と、
前記電源検出部によってオフ状態とオン状態とからなる特定オンオフパターンであって間引き点灯を指示する特定オンオフパターンが検出されると、特定オンオフパターンに対応して予め設定された１以上Ｎ未満の整数ｋで決まる間引き個数ｋの個数の前記光源接続部を、前記供給対象から除外させる制御である間引きモードを前記光源電力供給部に対して実行する間引き制御部と
を備えたことを特徴とする光源点灯装置。
【請求項２】
前記光源点灯装置は、さらに、
情報を不揮発に記憶する不揮発性メモリを有し、
前記間引き制御部は、
間引きモードで前記光源電力供給部を制御する際は間引き個数ｋを特定可能な間引き個数特定情報を前記不揮発性メモリに記憶し、
前記不揮発性メモリへの間引き個数特定情報の記憶後に、特定オンオフパターンとは異なる前記交流電源の遮断状態からの投入を前記電源検出部が検出すると、前記不揮発性メモリの間引き個数特定情報から間引き個数ｋを特定し、特定した間引き個数ｋの前記光源接続部を前記供給対象から除外させる間引きモードで前記光源電力供給部を制御することを特徴とする請求項１記載の光源点灯装置。
【請求項３】
前記間引き制御部は、
間引き個数特定情報に、現在である今回の間引きモードにおいて前記供給対象となる前記光源接続部がどの前記光源接続部かを特定する光源接続部識別情報を含めると共に、光源接続部識別情報を用いることにより、今回の間引きモードと次回の間引きモードとにおける前記供給対象となるＮ−ｋ個の前記光源接続部のなかに、少なくとも一つ、異なる前記光源接続部が存在するように前記光源電力供給部を制御することを特徴とする請求項２記載の光源点灯装置。
【請求項４】
前記光源点灯装置部は、さらに、
前記光源接続部に接続された前記直流光源ユニットの個々の累積点灯時間を計測して前記不揮発性メモリに記憶する点灯時間計測部を備え、
前記間引き制御部は、
間引きモードの際は、前記点灯時間計測部が計測した累積点灯時間時応じて、
前記供給対象とする前記光源接続部を決定することを特徴とする請求項２または３のいずれかに記載の光源点灯装置。
【請求項５】
前記間引き制御部は、
間引きモード制御の実行中において、点灯中の前記直流光源ユニットの累積点灯時間が設定点灯時間を越えるとこの前記直流光源ユニットが接続されている光源接続部への光源用直流電力の供給を前記光源電力供給部に停止させて、累積点灯時間が設定点灯時間未満の前記直流光源ユニットが接続されている前記光源接続部であって前記供給対象から除外されている前記光源接続部への光源用直流電力の供給に切り替えさせ、設定点灯時間を越えた前記直流光源ユニットの累積点灯時間をリセットすることを特徴とする請求項４記載の光源点灯装置。
【請求項６】
前記間引き制御部は、
現在である今回の間引きモード制御を実行する場合には、前回の間引きモードでのＮ−ｋ個の個数である前記供給対象と、今回の間引きモードでのＮ−ｋ個の個数である前記供給対象との間に、異なる前記光源接続部が存在するように制御を実行することを特徴とする請求項１〜５のいずれかに記載の光源点灯装置。
【請求項７】
前記光源点灯装置は、さらに、
前記光源接続部に接続された前記直流光源ユニットの点灯中の断線を検出する光源状態検出部を備え、
前記間引き制御部は、
前記光源状態検出部によって間引きモードでないときに前記直流光源ユニットの点灯時の断線が検出された際には、前記光源電力供給部に対して断線が検出された前記直流光源ユニットの接続されている前記光源接続部への光源用直流電力の供給を停止させると共に、断線検出以降に前記電源検出部によって特定オンオフパターンが検出された場合には、前記光源電力供給部に対して間引きモードの制御を実行しないことを特徴とする請求項１〜６のいずれかに記載の光源点灯装置。
【請求項８】
前記間引き制御部は、
前記光源状態検出部によって間引きモード中に前記直流光源ユニットの点灯時の断線が検出された際には、前記光源電力供給部に対して断線が検出された前記直流光源ユニットの接続されている前記光源接続部への光源用直流電力の供給を停止させると共に、前記供給対象から除外させた前記光源接続部のうちの少なくとも一つへの光源用直流電力の供給を開始させることを特徴とする請求項７記載の光源点灯装置。
【請求項９】
前記光源接続部に接続される前記直流光源ユニットは、
前記光源接続部への接続確認用の電気素子である光源側電気素子を備え
前記光源状態検出部は、
前記光源側電気素子を用いて前記直流光源ユニットの接続を検出可能であり、
前記間引き制御部は、
前記光源状態検出部によって前記直流光源ユニットの接続が検出されない場合には、以降に前記電源検出部によって特定オンオフパターンが検出された場合でも、間引きモードの制御を前記光源電力供給部に対して実行しないことを特徴とする請求項７または８のいずれかに記載の光源点灯装置。
【請求項１０】
前記間引き制御部は、
前記電源検出部によって特定のＮ−ｋ個の前記光源接続部に対する光源用直流電力の供給を指示するオンオフパターンである接続部指定オンオフパターンが検出されると、接続部指定オンオフパターンの指示する特定のＮ−ｋ個の前記光源接続部へ光源用直流電力を供給させる間引きモードの制御を前記光源電力供給部に対して実行することを特徴とする請求項１〜９のいずれかに記載の光源点灯装置。
【請求項１１】
前記間引き制御部は、
間引きモードの無効と有効とのいずれかを指示する切替信号を入力し、入力した切替信号が有効を指示する切替信号であれば以降に前記電源検出部によって特定オンオフパターンが検出された場合には、間引きモードの制御を前記光源電力供給部に対して実行し、入力した切替信号が無効を指示する切替信号であれば以降に前記電源検出部によって特定オンオフパターンが検出された場合でも、間引きモードの制御を前記光源電力供給部に対して実行しないことを特徴とする請求項１〜１０のいずれかに記載の光源点灯装置。
【請求項１２】
前記間引き制御部は、
前記電源検出部が特定オンオフパターンと異なるオンオフパターンであって間引きモードのキャンセルを指示するオンオフパターンである間引きキャンセルパターンを検出すると、以降、新たに前記電源検出部が特定オンオフパターンを検出するまで、前記光源電力供給部に対してそれまで前記供給対象から除外させていた前記光源接続部へ、光源用直流電力を供給させることを特徴とする請求項１〜１１のいずれかに記載の光源点灯装置。
【請求項１３】
前記光源点灯装置は、
Ｎ個の前記光源接続部ごとに、一対一に対応するＮ個の前記光源電力供給部を備え、
前記間引き制御部は、
間引きモードとして、Ｎ個の前記光源電力供給部のうちの間引き個数ｋ個の光源電力供給部による光源用直流電力の供給を停止させる制御を実行することを特徴とする請求項１〜１２のいずれかに記載の光源点灯装置。
【請求項１４】
前記Ｎ個の光源接続部は、
対応する前記直流光源ユニットが接続された場合には、それぞれの前記直流光源ユニットを直列に接続し、
前記光源電力供給部は、
所定の前記光源接続部を短絡させる短絡制御信号を入力すると、入力した短絡制御信号に応じて、所定の前記光源接続部を短絡させる光源短絡部を備え、
前記間引き制御部は、
間引きモード制御として、間引き個数ｋ個の前記光源接続部を短絡させる短絡制御信号を前記光源短絡部に出力することを特徴とする請求項１〜１２のいずれかに記載の光源点灯装置。
【請求項１５】
前記間引き制御部は、
間引きモード制御の実行中において、点灯中の前記直流光源ユニットの累積点灯時間が設定点灯時間を越えると設定点灯時間を越えた前記直流光源ユニットの累積点灯時間をリセットし、次回の間引きモードの制御の際には設定点灯時間に達した前記直流光源ユニットが接続されている前記光源接続部を前記供給対象から前記光源電力供給部に除外させると共に、累積点灯時間が設定点灯時間未満の前記直流光源ユニットが接続されている前記光源接続部であって今回の間引きモードで前記供給対象から除外された前記光源接続部への光源用直流電力の供給に切り替えさせることを特徴とする請求項４記載の光源点灯装置。
【請求項１６】
請求項１〜１５のいずれかに記載の光源点灯装置を搭載し、前記Ｎ個の光源接続部に接続される前記直流光源ユニットのうち少なくとも一つの前記直流光源ユニットとして、ＬＥＤ（Ｌｉｇｈｔ  Ｅｍｉｔｔｉｎｇ  Ｄｉｏｄｅ）とＥＬ（Ｅｌｅｃｔｒｏ  Ｌｕｍｉｎｅｓｃｅｎｃｅ）との少なくともいずれかを用いたことを特徴とする照明器具。
【請求項１７】
請求項１〜１５のいずれかに記載の光源点灯装置を搭載し、前記Ｎ個の光源接続部に接続される前記直流光源ユニットのうち少なくとも一つの前記直流光源ユニットとして、両端に口金を有する直管形状の直流光源ユニットを使用することを特徴とする照明器具。
【発明の詳細な説明】
【技術分野】
【０００１】
この発明は、光源としてＬＥＤ（Ｌｉｇｈｔ  Ｅｍｉｔｔｉｎｇ  Ｄｉｏｄｅ），ＥＬ（Ｅｌｅｃｔｒｏ  Ｌｕｍｉｎｅｓｃｅｎｃｅ）等を用いた光源点灯装置および照明器具に関する。
【背景技術】
【０００２】
従来の直管形蛍光灯照明器具に装着可能で、直管形蛍光灯に代替可能なＬＥＤ照明として、直管形蛍光灯と同一形状の直管蛍光灯形ＬＥＤランプが提案されている（例えば特許文献１参照）。本提案によれば点灯回路として従来の蛍光灯器具内蔵の安定器をそのまま使用し、直管蛍光灯形ＬＥＤランプを点灯させることができる。安定器は直管蛍光灯形ＬＥＤランプ１本に対して１個使用するため、例えば２灯用の直管形器具に取り付けた場合、安定器が２台搭載されているため、例えば２灯用の直管形器具から直管蛍光灯形ＬＥＤランプを１本取り外せば、残りの１本で間引き点灯することができ、明るさを抑えて消費電力を削減することができる。
【０００３】
また、直管蛍光灯形ＬＥＤランプ内部に点灯回路を内蔵し、器具内の安定器を取り外し、口金より直接商用電源を給電し、ＬＥＤを点灯させる方式も提案されている（例えば特許文献２）。各直管蛍光灯形ＬＥＤランプ内部に点灯回路を内蔵しているため、例えば２灯用の直管形器具を用いた場合、直管蛍光灯形ＬＥＤランプを１本取り外しても、残りの１本で間引き点灯することができる。
【先行技術文献】
【特許文献】
【０００４】
【特許文献１】特開２００９−１０５３５５号公報        特開２０１０−１９２２２９号公報
【発明の概要】
【発明が解決しようとする課題】
【０００５】
しかしながらこのような直管蛍光灯形ＬＥＤランプでは、間引き点灯を行う際、天井に取り付けられた器具からランプを引き抜くという作業が発生し、特にオフィス・倉庫のように、ひとつのフロアに多数の照明器具が取り付けられている場合、膨大な作業時間が掛かってしまうという課題がある。
【課題を解決するための手段】
【０００６】
この発明の光源点灯装置は、
交流電源から供給された交流電圧を直流電圧に変換する変換部と、
Ｎ個（Ｎは２以上の整数）の光源接続部であって、前記光源接続部ごとに直流電力によって点灯する直流光源ユニットが電気的に接続されるＮ個の光源接続部と、
制御を受けることにより、前記変換部によって変換された直流電圧に基づき供給対象である前記Ｎ個の光源接続部に供給する光源用直流電力を生成して各光源接続部に供給する光源電力供給部と、
前記交流電源から前記変換部に供給される交流電圧の供給有りの状態であるオン状態と、供給の無しの状態であるオフ状態とを検出する電源検出部と、
前記電源検出部によってオフ状態とオン状態とからなる特定の特定オンオフパターンが検出されると、特定オンオフパターンに対応して予め設定された整数ｋ（ｋは１以上Ｎ未満）で決まる間引き個数ｋの個数の前記光源接続部を、前記供給対象から除外させる制御である間引きモードを前記光源電力供給部に対して実行する間引き制御部と
を備えたことを特徴とする。
【発明の効果】
【０００７】
本発明の光源点灯装置によれば、複数の光源ユニットを接続する光源点灯装置において、接続したままの複数の光源ユニットのうち、所定の壁スイッチの操作で、希望の個数の光源ユニットの点灯を間引くことができる光源点灯装置を提供できる。
【図面の簡単な説明】
【０００８】
【図１】実施の形態１の照明器具１００を示す図。
【図２】実施の形態１の照明システム１０００を示す図。
【図３】図２の配線関係を示す図。
【図４】実施の形態１の光源点灯装置１１０−１の回路ブロック図。
【図５】実施の形態１の光源点灯装置の動作図。
【図６】実施の形態１の壁スイッチ操作と光源の点灯本数との関係を示す図。
【図７】実施の形態１の壁スイッチ操作と光源の点灯本数との関係を示す別の図。
【図８】実施の形態１の光源点灯装置の動作図。
【図９】実施の形態１の光源点灯装置１１０−２の回路ブロック図。
【図１０】実施の形態１の光源短絡部を示す図。
【図１１】実施の形態２の光源点灯装置１２０−１の回路ブロック図。
【図１２】実施の形態２の光源点灯装置１２０−２の回路ブロック図。
【図１３】実施の形態３の光源点灯装置の動作図。
【図１４】実施の形態３の光源点灯装置の動作図。
【図１５】実施の形態３の光源点灯装置の動作図。
【図１６】実施の形態４の光源点灯装置１４０の回路ブロック図。
【発明を実施するための形態】
【０００９】
実施の形態１．
図１〜図１０を参照して実施の形態１の光源点灯装置１１０−１について説明する。本実施の形態１においては、光源としてＬＥＤ（発光ダイオード）を用いて説明する。
図１は、実施の形態１に係わる照明器具１００の外観図である。照明器具１００は、照明器具本体１と、照明器具本体１に装着された２本の直管蛍光灯形ＬＥＤランプ２ａ、２ｂと、直管蛍光灯形ＬＥＤランプ２ａ、２ｂを接続するソケット３ａ、３ｂ、３ｃ、３ｄとを備える。直管蛍光灯形ＬＥＤランプ２ａ、２ｂは、両端に口金を有し、ソケット３ａ、３ｂ、３ｃ、３ｄに接続される。  照明器具本体１の内部には光源点灯装置１１０−１が設置される。光源点灯装置１１０−１から配線及びソケット３ａ、３ｂ、３ｃ、３ｄを介して直管蛍光灯形ＬＥＤランプ２ａ、２ｂに電流が供給される。直管蛍光灯形ＬＥＤランプ２ａ、２ｂは直流電力によって点灯する。ソケット３ａ、３ｂは、後述の光源接続部４０ａの一例であり、ソケット３ｃ、３ｄは、光源接続部４０ｂの一例である。また、ソケット３ａ、３ｂのうち、例えばソケット３ａからのみ電流が供給され、ソケット３ｂは、機械的な取り付けのみに利用される場合、ソケット３ｂは、直管蛍光灯形ＬＥＤランプ２ａと電気的に接続していないため、後述の光源接続部４０ａには該当しない。
【００１０】
図２は、ひとつのフロアに多数の照明器具が設置される場合の照明システム１０００を示す図である。図２では、照明器具の数を単純化して２台にしている。照明システム１０００の各照明器具は、以下の実施の形態での述べる光源点灯装置を備えている。
図３は、図２の配線関係を示す図である。図３に示すように、照明システム１０００では、２台の照明器具を、壁スイッチ１２によってオンオフできる。
【００１１】
直管蛍光灯形ＬＥＤランプ２ａ、２ｂの内部には複数個のＬＥＤが実装されたＬＥＤ実装基板（図示していない）が配置されている。ＬＥＤ実装基板は、直管蛍光灯形ＬＥＤランプ２ａ、２ｂの口金と電気的に接続されている。直管蛍光灯形ＬＥＤランプ２ａ、２ｂの口金は、従来の直管形蛍光ランプと同一形状でも良いし、直管蛍光灯形ＬＥＤランプ独自の専用口金でも良い。口金形状が従来の蛍光灯と同一形状の場合、直管形蛍光ランプ用のソケットをそのまま使用して直管蛍光灯形ＬＥＤランプ２ａ、２ｂを照明器具本体に取り付ける。この場合、直管蛍光灯形ＬＥＤランプ２ａ、２ｂへの給電は口金から給電される。または、誤って直管形蛍光ランプを接続してしまうことを避けるため、直管蛍光灯形ＬＥＤランプ２ａ、２ｂの口金は、ソケットへの取り付け及び照明器具への固定のみを目的として、別途給電用コネクタ等を直管蛍光灯形ＬＥＤランプ２ａ、２ｂに設けてそこから給電を行っても良い（図示せず）。直管蛍光灯形ＬＥＤランプ専用の口金を用いた場合は、専用ソケットを照明器具本体１に設けて直管蛍光灯形ＬＥＤランプ２ａ、２ｂの装着を行う。この場合は直管形蛍光ランプの誤接続の心配がないため、口金から給電を行えば良い。
【００１２】
（光源点灯装置１１０−１の構成）
図４に、光源点灯装置１１０−１の回路ブロック図及び直管蛍光灯形ＬＥＤランプ２ａ、２ｂ内部のＬＥＤ接続図を示す。図４に示すように、光源点灯装置１１０−１は、Ｎ個（この例ではＮ＝２）の光源接続部ごとに、一対一に対応するＮ個の光源電力供給部（降圧コンバータ２４ａ，２４ｂ）を備えている。光源点灯装置１１０−１の間引き制御部２８は、間引きモードとして、Ｎ個の光源電力供給部のうちの間引き個数ｋ個の光源電力供給部による光源用直流電力の供給を停止させる制御を実行する。
【００１３】
光源点灯装置１１０−１は、商用交流電源１１より壁スイッチ１２を介して電力の供給を受けて直管蛍光灯形ＬＥＤランプ２ａ、２ｂの内部に配置されるＬＥＤを点灯させる装置である。
光源点灯装置１１０−１は、
（１）ダイオードブリッジ等で構成される整流回路１３、分圧抵抗２７ａ、２７ｂ、力率改善回路１９からなる変換部５０であり、交流電圧を直流電圧に変換する変換部５０と、
（２）光源接続部４０ａ，４０ｂと、
（３）第１降圧コンバータ２４ａと、
（４）第１降圧コンバータ２４ａと同一構成の第２降圧コンバータ２４ｂと、
（５）降圧コンバータ制御部２６と、
（６）力率改善回路制御部２５と、
（７）間引き制御部２８と、
を備えている。
【００１４】
（１）電源検出部：
分圧抵抗２７ａ、２７ｂの直列接続は、商用交流電源１１から変換部５０に供給される交流電圧の供給有りの状態であるオン状態と、供給の無しの状態であるオフ状態とを検出する電源検出部の機能を有する。
（２）光源接続部：
光源接続部４０ａ，４０ｂには、直流電力によって点灯する「直管蛍光灯形ＬＥＤランプ２ａ、直管蛍光灯形ＬＥＤランプ２ｂ」（直流光源ユニット）が電気的、機械的に接続される。光源接続部ごとに直流で点灯する光源ユニットである直管蛍光灯形ＬＥＤランプが接続される。
（３）光源電力供給部：
降圧コンバータ制御部２６、第１降圧コンバータ２４ａ及び第２降圧コンバータ２４ｂは、間引き制御部２８からの制御を受けることにより、変換部５０によって変換された直流電圧に基づき供給対象である２個（Ｎ個の一例）の光源接続部（４０ａ，４０ｂ）に供給する光源用直流電力を生成し、各光源接続部４０ａ，４０ｂに供給する光源電力供給部を構成する。
（４）間引き制御部２８：
間引き制御部２８は、分圧抵抗２７ａ、２７ｂの直列接続からなる電源検出部によってオフ状態とオン状態とからなる特定の特定オンオフパターン（図５で後述）が検出されると、特定オンオフパターンに対応して予め設定された整数ｋ（ｋは１以上、光源接続部の個数ＮであるＮ未満）で決まる間引き個数ｋの個数の光源接続部を、光源用直流電力の供給対象から除外させる制御である間引きモードを光源電力供給部（降圧コンバータ制御部２６、あるいは後述のバイパススイッチ２９）に対して実行する。間引き制御部２８は、情報を不揮発に記憶する不揮発性メモリ２８−１と、光源接続部４０ａ，４０ｂに接続された直管蛍光灯形ＬＥＤランプ２ａ，２ｂの個々の累積点灯時間を計測して不揮発性メモリ２８−１に記憶する点灯時間計測部２８−２を備えている。
（５）なお、以下の説明で「Ｎ」は光源接続部の個数を示すものとし、「ｋ」は、間引きモードにおいて光源用直流電力の供給が除外される光源接続部の個数を示す。つまりＮは、光源用点灯装置に接続可能な光源ユニットの総本数を示し、ｋは間引きモードにおいて間引かれる光源ユニットの個数を示す。
【００１５】
変換部５０を構成する力率改善回路１９は、フィルタコンデンサ１４、チョークコイル１５、スイッチング素子１６、ダイオード１７、平滑コンデンサ１８からなる昇圧チョッパ回路方式である。第１降圧コンバータ２４ａは、スイッチング素子２０ａ、環流ダイオード２１ａ、チョークコイル２２ａ、平滑コンデンサ２３ａからなる。
【００１６】
（１）力率改善回路制御部２５は、スイッチング素子１６を駆動し、力率改善回路１９の動作を制御する。降圧コンバータ制御部２６はスイッチング素子２０ａ、２０ｂを駆動し、降圧コンバータ２４ａ、２４ｂの動作を制御する。降圧コンバータ制御部２６は、電流検出用抵抗４１ａ，４１ｂに発生した電圧に基づいて、降圧コンバータ２４ａ，２４ｂを定電流制御（フィードバック制御）する。
（２）間引き制御部２８には、全波整流され、分圧抵抗２７ａ、２７ｂにより分圧された商用電源電圧が入力され、間引き制御部２８は、商用電源が通電されているか停電されているかを判定する。間引き制御部２８は、例えばマイクロコンピュータ（以下、マイコンという）を備える。
（３）第１降圧コンバータ２４ａの出力部である光源接続部４０ａには直管蛍光灯形ＬＥＤランプ２ａが接続され、第２降圧コンバータ２４ｂの出力部である光源接続部４０ｂには直管蛍光灯形ＬＥＤランプ２ｂが接続される。直管蛍光灯形ＬＥＤランプ２ａ、２ｂの内部には、複数のＬＥＤが直列に、あるいは図示しないが並列に、または直列と並列を組み合わせて電気的に接続され配置される。
【００１７】
（動作説明）
以上、本実施の形態１にかかわる光源点灯装置１１０−１の構成について説明した。次に本実施の形態１に係る光源点灯装置１１０−１の詳細動作について説明する。変換部５０は、入力された商用交流電圧を整流して直流電圧に変換し、かつ入力電流の力率を改善する回路である。変換された直流電圧は、第１降圧コンバータ２４ａ及び第２降圧コンバータ２４ｂに入力される。第１降圧コンバータ２４ａ及び第２降圧コンバータ２４ｂの出力部である光源接続部４０ａ，４０ｂには、直管蛍光灯形ＬＥＤランプ２ａ、２ｂがそれぞれ接続されており、適切な出力電圧及び出力電流に変換された光源用直流電力が、それぞれの直管蛍光灯形ＬＥＤランプ２ａ，２ｂに供給される。
【００１８】
いま、壁スイッチ１２をオンして光源点灯装置１１０−１に商用交流電源１１を供給すると、変換部５０により交流電圧が直流電圧に変換され、平滑コンデンサ１８により平滑化される。ここでは平滑コンデンサ１８の電圧は力率改善回路１９により例えば４００Ｖに昇圧される。次に第１降圧コンバータ２４ａ及び第２降圧コンバータ２４ｂが動作を開始、すなわちスイッチング素子２０ａ、２０ｂが降圧コンバータ制御部２６による制御によってスイッチング動作を開始して、直管蛍光灯形ＬＥＤランプ２ａ、２ｂに電流が流れ、点灯する。
【００１９】
（間引き点灯設定の操作）
図５は、間引きモードとするための壁スイッチ１２の「間引き点灯設定の操作」を示す。図６は、実施の形態１の壁スイッチ操作と光源の点灯本数との関係を示す図である。図５、図６を参照して説明する。ここで、消費電力削減のため、２本の直管蛍光灯形ＬＥＤランプのうちいずれか一方を消灯したいとする。この場合、図５に示すように、使用者は壁スイッチ１２がオンの状態、すなわち通電中の状態から、一旦壁スイッチ１２をオフする。そして所定期間Ｔ１以内（例えば２秒以内）に再び壁スイッチ１２をオンする。マイコンである間引き制御部２８は、壁スイッチ１２をオフすると分圧抵抗２７ａ、２７ｂに電圧が印加されなくなるため、停電状態であると判定し、停電時間を計測する。間引き制御部２８は、操作者が壁スイッチ１２をオフしてから次に壁スイッチ１２をオンするまでの停電時間が所定期間Ｔ１以内であれば「間引き点灯指示」と判断し、第１降圧コンバータ２４ａまたは第２降圧コンバータ２４ｂのいずれか一方の動作を停止し、直管蛍光灯形ＬＥＤランプ２ａまたは２ｂのいずれか一方を消灯させる。図５の壁スイッチにおける「オン状態→Ｔ１以内のオフ状態→オン状態」を、間引き制御部２８に間引きモードを実行させる特定オンオフパターンと呼ぶことする。例えば第１降圧コンバータ２４ａの動作を停止状態とした場合、直管蛍光灯形ＬＥＤランプ２ａが消灯状態となり、第２降圧コンバータ２４ｂは通常通り動作し、直管蛍光灯形ＬＥＤランプ２ｂは点灯する。
【００２０】
このように、間引き制御部２８は、電源検出部（抵抗２７ａ，２７ｂからなる分圧部）によって特定オンオフパターンが検出されると、特定オンオフパターンに対応して予め設定された整数ｋ（ｋは１以上Ｎ未満）で決まる間引き個数ｋ（この例ではＫ＝１）の個数の光源接続部を、光源用直流電力の供給対象から除外させる制御である間引きモードを源電力供給部（降圧コンバータ制御部２６、降圧コンバータ２４ａ，２４ｂ）に対して実行する。
【００２１】
このように消費電力削減のため、間引き点灯を行う際、直管蛍光灯形ＬＥＤランプを照明器具から引き抜かなくても壁スイッチ操作により容易に一本消灯することができる。これはひとつのフロアに多数の照明器具が設置されている場合、壁スイッチ１２に接続された複数の照明器具を一度に間引き点灯できるため、大幅な作業の簡略化が可能となる。
【００２２】
（２本点灯へ戻す操作）
なお、間引き点灯状態から通常の２本点灯状態に戻すには、例えば、図６（ａ）として示すように、「間引き点灯設定の操作」と同じ操作を行う。つまり、再び壁スイッチ１２を、オン状態から一旦壁スイッチ１２をオフ状態として、所定期間Ｔ１以内に再度オンとする。すると間引き制御部２８はこれを検出して、第１降圧コンバータ２４ａ及び第２降圧コンバータ２４ｂの両方を動作状態とする（図６（ａ））。これにより間引き点灯状態から通常の２本点灯状態に切り替わる。さらに「間引き点灯設定の操作」を行えば、間引き点灯状態となる（図６（ｂ））。
【００２３】
（点灯設定状態の記憶）
ちなみに、「間引き点灯設定」は、図６（ｃ）に示すように、消灯によりリセットされ、再度点灯時は通常の２本点灯状態に設定が戻っても良い。
【００２４】
（常時間引き点灯）
しかし、常時間引き点灯状態で使用したい場合、点灯の度に間引き点灯状態となるように壁スイッチ１２を操作しなければならず、煩わしい。そこで例えば間引き制御部２８として、図４に示したように、内部に不揮発性メモリ２８−１を有するマイコンを用いて、点灯状態を記憶させておいても良い。つまり、壁スイッチ１２をオフして電源を遮断しても、不揮発性メモリ２８−１に間引き設定状態である「点灯設定状態」が記憶される。このため、再び壁スイッチ１２をオンして電源を投入すると、マイコン（間引き制御部２８）は不揮発性メモリ２８−１から点灯設定状態を読み込んで、消灯する直前の状態で再度、光源を点灯させる（図６（ｄ））。これにより、間引き点灯状態で消灯した場合、再点灯時は再度、壁スイッチ１２を操作しなくても、間引き点灯状態で点灯させることができる。
【００２５】
具体的には、間引き制御部２８は、間引きモードで光源電力供給部を制御する際は、間引き個数ｋ（この例ではｋ＝１）を特定可能な間引き個数特定情報を不揮発性メモリ２８−１に記憶する。「間引き個数特定情報」とは、間引き個数ｋでもよいし、間引きモード時に点灯させる光源数（光源接続部の数でもある）である「Ｎ−ｋ」でもよい。間引き制御部２８は、不揮発性メモリ２８−１への「間引き個数特定情報」の記憶後に、特定オンオフパターンとは異なる交流電源の遮断状態からの投入を電源検出部が検出すると、不揮発性メモリ２８−１の「間引き個数特定情報」から間引き個数ｋを特定し、特定した間引き個数ｋの光源接続部を供給対象から除外させる間引きモードで光源電力供給部を制御する。
【００２６】
ここで、図２、図３に示すように、１つの壁スイッチ１２に多数のＬＥＤ照明器具が接続されている場合、上述の壁スイッチ操作を行うと、例えば停電期間が所定期間Ｔ１以内ぎりぎりである場合、部品の個体ばらつき等により、Ｔ１期間内と判断する照明器具とＴ１期間を超えたと判断する照明器具が混在し得る。その場合、間引き点灯に切り替わる照明器具と、切り替わらない照明器具が発生する可能性がある。
図７は、照明器具１００−１、１００−２とを例に説明する図である。つまり、図７のように、所定期間Ｔ１ぎりぎりの「間引き点灯設定」の場合、照明器具１００−１のみが間引きモードとなる。この場合、再度上記のスイッチ操作を行うと、間引き点灯している照明器具１００−１が再び通常の２灯点灯に戻り、間引き点灯設定とならなかった照明器具１００−２が今度は間引き点灯状態になる可能性があり、希望通りの設定にすることが困難になる。つまり間引き設定の操作と、間引き点灯状態から通常の２本点灯状態に戻す操作を同じ操作とすると、以上のような不都合が生じる。
【００２７】
（間引き設定の操作≠２本点灯状態に戻す操作）
図８は、「間引き設定の操作≠２本点灯状態に戻す操作」を示す図である。図８に示すように、間引き点灯を行う場合は上述した図５のように壁スイッチ１２がオン状態から一旦、壁スイッチをオフ状態として、所定期間Ｔ１以内に再度壁スイッチオンとする方法とする。そして、間引き点灯状態から通常の２灯点灯状態に戻す場合は、図８のように、壁スイッチ１２がオン状態から、所定期間Ｔ２内に壁スイッチを「オフ→オン→オフ→オン」（間引きキャンセルパターン）と、スイッチのオフ／オン動作を２回繰り返す。このように、間引き点灯設定時と２灯点灯設定時（全灯点灯の設定）とで壁スイッチ１２の操作方法を異なる方法にする。これにより、照明器具間のばらつきによって希望の設定ができなかった場合、再度決められたスイッチ操作を行えば、図２のように、１つの壁スイッチ１２に複数の照明器具が接続されていても、すべての照明器具で正しく設定を反映させることができる。このように、間引き制御部２８部は、電源検出部が特定オンオフパターンと異なるオンオフパターンであって間引きモードのキャンセルを指示するオンオフパターンである「間引きキャンセルパターン」を検出すると、以降、新たに電源検出部が特定オンオフパターンを検出するまで、光源電力供給部に対してそれまで供給対象から除外させていた光源接続部へ、光源用直流電力を供給させる。
【００２８】
以上のように、本実施の形態１においては、光源点灯装置１１０−１に間引き制御部２８を設け、所定の壁スイッチ操作により第１降圧コンバータ２４ａまたは第２降圧コンバータ２４ｂのいずれか一方を停止するようにした。よって、直管蛍光灯形ＬＥＤランプを取り外すことなく間引き点灯が可能となる。したがって光源点灯装置１１０−１によれば、容易に照明器具の消費電力を削減することができる。
【００２９】
（光源短絡部）
ここで、本実施の形態１においては、第１降圧コンバータ２４ａ及び第２降圧コンバータ２４ｂを用いて直管蛍光灯形ＬＥＤランプ２ａ、２ｂを点灯させる方式について動作を説明したが、壁スイッチ操作により１本消灯させる回路方式であれば本方式以外でもよい。
図９は、例えば、その他の方式の光源点灯装置１１０−２の回路ブロック図を示す。直管蛍光灯形ＬＥＤランプ２ａ、２ｂは図４と同一構成である。図４と異なる部分は、第２降圧コンバータ２４ｂを削除し、第１降圧コンバータ２４ａの出力に直管蛍光灯形ＬＥＤランプ２ａ、２ｂを２本直列に設け、直管蛍光灯形ＬＥＤランプ２ｂと並列に接続されたバイパススイッチ２９（光源短絡部、ここではＭＯＳＦＥＴ）を設けたことである。バイパススイッチ２９は、降圧コンバータ制御部２６等と共に、光源電力供給部を構成し、間引き制御部２８の制御によって動作する。
【００３０】
図９に示すように、２個（４０ａ，４０ｂ，Ｎ個の一例）の光源接続部は、対応する直管蛍光灯形ＬＥＤランプ２ａ，２ｂが接続された場合には、それぞれの光源ユニットを直列に接続する。光源短絡部であるバイパススイッチ２９は、間引き制御部２８から所定の光源接続部（４０ｂ）を短絡させる短絡制御信号を入力すると、入力した短絡制御信号に応じて、所定の光源接続部（４０ｂ）を短絡させる。
【００３１】
（動作）
次に動作について説明する。まず直管蛍光灯形ＬＥＤランプ２ａ、２ｂが２本とも点灯状態の場合について説明する。壁スイッチ１２をオンして商用交流電源１１を投入すると第１降圧コンバータ２４ａが動作を開始し、電流を出力するが、このときバイパススイッチ２９は間引き制御部２８からの指令によりオフ状態となる。したがってバイパススイッチ２９には電流が流れず、第１降圧コンバータ２４ａから出力された電流は直管蛍光灯形ＬＥＤランプ２ａ及び２ｂの両方に電流が流れ、２本とも発光する。
【００３２】
次に壁スイッチ操作により使用者が直管蛍光灯形ＬＥＤランプ２本のうち１本を消灯する間引き点灯設定を行った場合の動作を説明する。上述した方法により壁スイッチ操作を行い、間引き制御部２８がこれを検出すると、間引き制御部２８はバイパススイッチ２９をオンする信号（短絡制御信号）を出力する。これによりバイパススイッチ２９が導通状態となると、オンすると、直管蛍光灯形ＬＥＤランプ２ｂには電流が流れず、第１降圧コンバータ２４ａの出力電流はバイパススイッチ２９を経由する。したがって直管蛍光灯形ＬＥＤランプ２ａのみ発光し、直管蛍光灯形ＬＥＤランプ２ｂは消灯状態となる。
【００３３】
以上のように、降圧コンバータを２回路使用せず、例えば１つの降圧コンバータのみで、２本の直管ＬＥＤランプを直列接続し、１本分をバイパススイッチ２９で短絡し、間引き点灯を行っても良い。これにより降圧コンバータが１回路で済み、部品点数削減が可能となる。
【００３４】
なお図９の例では間引き対象となるのは直管蛍光灯形ＬＥＤランプ２ｂのみとなる。そこで、図１０（ａ）のように、直管蛍光灯形ＬＥＤランプ２ａにも並列にバイパススイッチ２９ａを接続してもよい。間引き制御部２８は、バイパススイッチ２９ａ，２９ｂのいずれかをオンとすることで、２本のうちの１本の直管蛍光灯形ＬＥＤランプを間引くことができる。また、図１０（ｂ）のように、光源として直管蛍光灯形ＬＥＤランプがＮ本使用（図１０（ｂ）は３本の例）される場合は、３個（４０ａ，４０ｂ，４０ｃ）の光源接続部は、対応する直管蛍光灯形ＬＥＤランプ２ａ，２ｂ、２ｃが接続された場合には、それぞれの直管蛍光灯形ＬＥＤランプを直列に接続する構成とする。そして、バイパススイッチ２９ａ〜２９ｃから構成される光源短絡部は、間引き制御部２８による間引きモード制御として、間引き制御部２８から、間引き個数ｋ個（この例では１、あるいは２）の光源接続部（３個のうちのいずれか一つ、あるいはいずれか２つ）を短絡させる短絡制御信号を入力すると、入力した短絡制御信号に応じて、所定の光源接続部を短絡させる。つまり、バイパススイッチ２９ａ〜２９ｃのうちの１つ、あるいは２つをオンとする。
【００３５】
なお、光源としてはここではＬＥＤを用いて説明したが、他の光源でもよく、光源として有機ＥＬを用いても良い。光源点灯装置１１０−１，１１０−２として力率改善回路と降圧コンバータを組み合わせた回路方式を例に挙げたが、この回路方式に限定するものではなく、商用交流電源から電力変換してＬＥＤに電流を供給できる回路方式であれば他の回路方式でもよく、例えばコンデンサインプット形整流回路とフライバックコンバータの組み合わせでもよい。２灯用照明器具として説明したが、２灯用に限定するものではなく、例えば３灯用照明器具でも構わない。
【００３６】
なお、直管蛍光灯形ＬＥＤランプをＮ本以上（Ｎは３以上の整数）装着するような場合は、第１の特定オンオフパターンが検出された場合はｍ（Ｎ＞ｍ）本の直管蛍光灯形ＬＥＤランプを間引き、第２の特定オンオフパターンが検出された場合には特定のｎ（Ｎ＞ｎ、ｍ≠ｎ）本を間引くようにしてもよい。また、第１の特定オンオフパターンはｍ本であれば間引く直管蛍光灯形ＬＥＤランプが「どれか」は限定されないのに対して、第３の特定オンオフパターンが検出された場合は、ある決まったｍ本の直管蛍光灯形ＬＥＤランプを間引く構成でもよい。つまり、特定オンオフパターンのバリエーションとランプの間引き方との対応は、自由に設定することができるものとする。
【００３７】
実施の形態１の光源点灯装置によれば、電源検出手段を備え、商用電源を遮断するスイッチ操作によりスイッチオン状態からスイッチをオフして、商用電源を遮断し、所定期間以内に再びスイッチオンして通電した場合、電源検出手段はこれを検出して、複数の直管蛍光灯形ＬＥＤランプのうち少なくともいずれか１本を消灯するようにしたので、容易に間引き点灯することができる。
【００３８】
実施の形態２．
図１１、図１２を参照して実施の形態２の光源点灯装置について説明する。照明器具の構成については実施の形態１の図１と同様であるため、説明を省略する。
図１１に実施の形態２の光源点灯装置１２０−１の回路ブロック図及び直管蛍光灯形ＬＥＤランプ２ａ、２ｂ内部のＬＥＤ接続図を示す。実施の形態１と異なる部分は、第１降圧コンバータ２４ａおよび第２降圧コンバータ２４ｂの出力部に分圧抵抗及３０ａ、３１ａ、３０ｂ、３１ｂ及び出力電圧検出部３２（光源状態検出部）を設けたことである。その他の構成については実施の形態１の図４と同一構成であるため、説明を省略する。
【００３９】
（光源状態検出部）
分圧抵抗及３０ａ、３１ａ、３０ｂ、３１ｂ及び出力電圧検出部３２は、光源接続部４０ａ，４０ｂに接続された直管蛍光灯形ＬＥＤランプ２ａ，２ｂ（直流光源ユニット）の点灯中の断線を検出する光源状態検出部を構成する。
【００４０】
次に実施の形態２に係る光源点灯装置１２０−１の詳細動作について説明するが、実施の形態１と同様の動作については説明を省略する。いま、ひとつの壁スイッチ１２に複数の照明器具が接続された状態を想定する。そのうちの１台の照明器具に接続された２本の直管蛍光灯形ＬＥＤランプ２ａ、２ｂのうちいずれか１本が何らかの原因により内部でＬＥＤが断線故障し、直管蛍光灯形ＬＥＤランプは回路的に開放状態であるとする。ここでは直管蛍光灯形ＬＥＤランプ２ｂが断線故障状態とし、この状態で壁スイッチ１２をオンして商用交流電源１１を投入すると、正常な直管蛍光灯形ＬＥＤランプ２ａが接続された第１降圧コンバータ２４ａは直管蛍光灯形ＬＥＤランプ２ａに電流を供給し、点灯を開始する。一方、故障して開放状態にある直管蛍光灯形ＬＥＤランプ２ｂが接続された第２降圧コンバータ２４ｂは、直管蛍光灯形ＬＥＤランプ２ｂが開放状態にあるため、電流を供給することができない。
【００４１】
（定電流制御）
降圧コンバータ制御部２６は、電流検出用抵抗４１ａ，４１ｂに発生した電圧に基づいて、降圧コンバータ２４ａ，２４ｂのスイッチング素子２０ａ、２０ｂの駆動を制御することで、点電流制御を実行する。このように降圧コンバータ制御部２６により、一定電流を供給する定電流制御が行われるため、直管蛍光灯形ＬＥＤランプが断線状態かあるいは直管蛍光灯形ＬＥＤランプが未接続状態であると、予め設定された所定電流を流そうと降圧コンバータ制御部２６はスイッチング素子２０ｂのオンデューティ比を上昇させていく。そのため第２降圧コンバータ２４ｂの出力電圧がそれに伴って上昇する。
【００４２】
したがって、分圧抵抗３０ｂ、３１ｂに印加される電圧も上昇し、出力電圧検出部３２に入力される電圧信号が所定電圧以上である場合、出力電圧検出部３２は第２降圧コンバータ２４ｂの動作を停止させる。よって断線故障した直管蛍光灯形ＬＥＤランプが接続された照明器具は正常な直管蛍光灯形ＬＥＤランプが接続された方のみ点灯することとなる。他の照明器具は、ここではすべて正常に点灯しているものとする。次に壁スイッチ１２の操作にて間引き点灯設定を行うとする。実施の形態１で述べた方法と同様の壁スイッチ操作により間引き点灯設定を行う。正常に点灯している照明器具、すなわち２本の直管蛍光灯形ＬＥＤランプが点灯している場合は、２本のうちいずれか１本が消灯して間引き点灯状態となる。
【００４３】
２本の直管蛍光灯形ＬＥＤランプのうち、１本が断線故障状態にある照明器具は壁スイッチ１２の操作により、正常点灯しているランプ、ここでは直管蛍光灯形ＬＥＤランプ２ａが間引き設定対象となり消灯した場合、残りの直管蛍光灯形ＬＥＤランプ２ｂはもともと断線故障で消灯しているため、２本とも消灯状態となってしまう。これにより、その照明器具が設置されたエリアには光が当たらない状態となってしまう。
【００４４】
そこで実施の形態２では、２本の直管蛍光灯形ＬＥＤランプのうち、１本が断線故障や接触不良等により出力電圧検出部３２がこれを検知して降圧コンバータの動作を停止させると、それと同時に壁スイッチ操作による間引き点灯設定を無効とする。すなわち出力電圧検出部３２にて検出電圧が所定電圧以上となると、間引き制御部２８は、壁スイッチ操作による間引き点灯設定を無効とする。これにより壁スイッチ操作を行っても間引き点灯設定に切り替わらないようになる。したがって１つの壁スイッチ１２に多数の照明器具が接続されており、間引き点灯設定を行う場合、正常に２本の直管蛍光灯形ＬＥＤランプが点灯している照明器具は間引き点灯に切り替わり、断線故障等により１本消灯状態にある照明器具はそのまま残りの１本で点灯状態を維持することができる。よって、２本とも消灯してしまうことを防止できる。
【００４５】
なお、間引き制御部２８は、光源状態検出部によって間引きモードでないときに直管蛍光灯形ＬＥＤランプの点灯時の断線が検出された際には、光源電力供給部に対して断線が検出された直管蛍光灯形ＬＥＤランプの接続されている光源接続部への光源用直流電力の供給を停止させると共に、断線検出以降に電源検出部によって特定オンオフパターンが検出された場合には、光源電力供給部に対して間引きモードの制御を実行しないようにしても構わない。
【００４６】
以上のように、直管蛍光灯形ＬＥＤランプが断線故障等により１本消灯状態にある照明器具は、壁スイッチ操作による間引き点灯設定が無効となるため、間引き点灯設定操作を行っても少なくとも１本の直管蛍光灯形ＬＥＤランプの点灯を維持できる。
【００４７】
なお、間引き制御部２８は、光源状態検出部によって間引きモード中に直管蛍光灯形ＬＥＤランプの点灯時の断線が検出された際には、光源電力供給部に対して断線が検出された直管蛍光灯形ＬＥＤランプの接続されている光源接続部への光源用直流電力の供給を停止させると共に、供給対象から除外させた光源接続部のうちの少なくとも一つへの光源用直流電力の供給を開始させるようにしても構わない。
【００４８】
ちなみに間引き点灯設定状態にある場合、上述のように正常点灯している照明器具も、１本断線故障状態にある直管蛍光灯形ＬＥＤランプが接続された照明器具も、見かけ上はすべて間引き点灯状態となっている。したがってフロアに多数の照明器具が設置されている場合、どの照明器具の直管蛍光灯形ＬＥＤランプが故障状態か判別が付かないことがある。従って故障した直管蛍光灯形ＬＥＤランプを交換する際は再度スイッチ操作により通常の２本点灯の設定に戻してから故障ランプを判別し、故障ランプ交換後、スイッチ操作により再び間引き点灯状態に設定するという手順が発生し、煩わしい。
【００４９】
このため、容易に故障ランプを判別する方法として、間引き点灯状態に設定した場合でも、商用電源投入時から所定期間、第１降圧コンバータ２４ａ及び第２降圧コンバータ２４ｂは動作を開始し、２本の直管蛍光灯形ＬＥＤランプを点灯させる。そして所定期間経過後、いずれか一方の降圧コンバータの動作を停止し、間引き点灯状態とする。これにより２本とも正常なランプが接続されている場合は、最初の所定期間２本とも点灯するが、故障ランプの場合は最初から１本しか点灯しないため、点灯しないランプは直ちに故障ランプであると判別することができる。
【００５０】
また直管蛍光灯形ＬＥＤランプが未接続の場合、あるいは接触不良が発生した場合は、降圧コンバータ動作前に、以下に述べる方法により検出することができる。
図１２は、その他の方式の光源点灯装置１２０−２の回路ブロック図を示す。図１１と異なる部分は、図１１に対して、さらに、第１降圧コンバータ２４ａおよび第２降圧コンバータ２４ｂのスイッチング素子２０ａ、２０ｂと並列に抵抗３３ａ、３３ｂを設け、直管蛍光灯形ＬＥＤランプ２ａ、２ｂの内部に接続判定用抵抗３４ａ、３４ｂ（これらが光源側電気素子の例）を設けたことである。その他の構成については図１１と同一構成であるため、説明を省略する。
【００５１】
（光源状態検出部）
図１２において、抵抗３３ａ、３３ｂ、分圧抵抗及３０ａ、３１ａ、３０ｂ、３１ｂ及び出力電圧検出部３２は、光源状態検出部を構成する。図１２における光源状態検出部は、接続判定用抵抗３４ａ、３４ｂ（光源側電気素子）を用いて直管蛍光灯形ＬＥＤランプ２ａ、２ｂの接続を検出可能である。言い換えると図１２は、直管蛍光灯形ＬＥＤランプの未接続を検出する構成である。ここで「未接続」とは、直管蛍光灯形ＬＥＤランプが接続されていない場合の他に、接続されてはいるが接触不良によって接続判定用抵抗３４ａ、３４ｂが作用しない状態も含む。
【００５２】
次に動作を説明する。壁スイッチ１２をオンして商用交流電源１１を投入すると、力率改善回路１９により交流電圧が直流電圧に変換され、平滑コンデンサ１８により平滑化される。ここでは平滑コンデンサ１８の電圧は例えば４００Ｖに昇圧される。次に、第１降圧コンバータ２４ａに接続された、抵抗３３ａ、抵抗３０ａ、抵抗３１ａから構成される分圧抵抗により平滑コンデンサ１８の直流電圧が分圧されるが、ここで、直管蛍光灯形ＬＥＤランプ２ａが接続されていると、接続判定用抵抗３４ａが、分圧抵抗３０ａと抵抗３１ａに並列に接続されることになる。例えば抵抗３３ａの抵抗値を１ＭΩ、抵抗３０ａを５１０ｋΩ、抵抗３１ａを１８ｋΩ、接続判定用抵抗３４ａを３００ｋΩとすると、抵抗３１ａには分圧により２．２Ｖの電圧が発生することになる。直管蛍光灯形ＬＥＤランプ２ａが第１降圧コンバータ２４ａに接続されていない場合、接続判定用抵抗３４ａが無いため、分圧により抵抗３１ａには４．７Ｖの電圧が発生することになる。
【００５３】
出力電圧検出部３２は抵抗３１ａに印加される電圧を監視し、所定閾値電圧未満であると直管蛍光灯形ＬＥＤランプ２ａが接続されていると判断する。直管蛍光灯形ＬＥＤランプ２ａを接続した場合、ここでは２．２Ｖとなるので、閾値を３．５Ｖに設定すると、出力電圧検出部３２は直管蛍光灯形ＬＥＤランプ２ａが接続されていると判断できる。ランプが接続されていると判断した場合、出力電圧検出部３２は、第１降圧コンバータ２４ａに動作を開始させ、直管蛍光灯形ＬＥＤランプ２ａを点灯させる。
【００５４】
直管蛍光灯形ＬＥＤランプが接続されていない場合（未接続の場合）は、検出電圧が４．７Ｖとなり、閾値３．５Ｖ以上となるため、出力電圧検出部３２は直管蛍光灯形ＬＥＤランプ２ａが接続されていないと判断する。この場合、出力電圧検出部３２は、第１降圧コンバータ２４ａの動作を開始させない。この場合、出力電圧検出部３２は、直管蛍光灯形ＬＥＤランプ２ａの未接続を通知する未接続信号を間引制御部２８に出力する。間引制御部２８は未接続信号を入力すると、間引き点灯設定を無効とする。すなわち、壁スイッチ操作を行っても間引き点灯設定にはならない。ここでは、第１降圧コンバータ２４ａと直管蛍光灯形ＬＥＤランプ２ａについて説明したが、第２降圧コンバータ２４ｂ及び直管蛍光灯形ＬＥＤランプ２ｂについても同様である。
【００５５】
すなわち、出力電圧検出部３２にて直管蛍光灯形ＬＥＤランプが接続されてないと判断された降圧コンバータは動作停止状態を維持する。つまり出力電圧検出部３２は、接続検出された側の降圧コンバータのみを動作させるように降圧コンバータ制御部２６を制御する。このように、出力電圧検出部３２によって直管蛍光灯形ＬＥＤランプが接続されていると判断された降圧コンバータのみが、動作を開始する。このようにいずれか一方の直管蛍光灯形ＬＥＤランプが接続されていない場合、壁スイッチ操作による間引き点灯設定を無効とする。これにより、実施の形態１で述べた壁スイッチ操作を行っても間引き点灯設定にはならない。
【００５６】
このように、間引き制御部２８は、光源状態検出部によって直管蛍光灯形ＬＥＤランプの接続が検出されない場合には、以降に電源検出部によって特定オンオフパターンが検出された場合でも、間引きモードの制御を光源電力供給部に対して実行しない。
【００５７】
以上のように、第１降圧コンバータ２４ａ及び第２降圧コンバータ２４ｂの動作開始前に直管蛍光灯形ＬＥＤランプの接続検出を行うことにより、また、断線故障時等は予め壁スイッチ操作による間引き点灯設定を無効とできる。このため、壁スイッチ操作により間引き点灯操作をしても２本とも消灯してしまうことを防止でき、少なくとも１本の直管蛍光灯形ＬＥＤランプの点灯を維持できる。
【００５８】
また、降圧コンバータの動作開始前に直管形ＬＥＤの接続判定を行うため、ランプが接続されていない場合（未接続の場合）は降圧コンバータが動作せず、出力端子に高い電圧が発生することを防止でき、安全上好ましい。
【００５９】
なお、出力電圧検出部３２はアナログ／デジタル変換器（Ａ／Ｄコンバータ）を内蔵したマイコンで構成することができるが、間引き制御部２８内部に有するマイコンと共通化しても良い。光源としてはここではＬＥＤを用いて説明したが、他の光源でもよく、光源として有機ＥＬを用いても良い。光源点灯装置１２０−１，１２０−２として力率改善回路と降圧コンバータを組み合わせた回路方式を例に挙げたが、この回路方式に限定するものではなく、商用交流電源から電力変換してＬＥＤに電流を供給できる回路方式であれば他の回路方式でもよく、例えばコンデンサインプット形整流回路とフライバックコンバータの組み合わせでもよい。２灯用照明器具として説明したが、２灯用に限定するものではなく、例えば３灯用照明器具でも、Ｎ灯用（Ｎは４以上の整数）でも構わない。
【００６０】
実施の形態３．
図１３〜図１５を参照して実施の形態３の光源点灯装置１３０について説明する。照明器具の構成、光源点灯装置の回路構成及び直管蛍光灯形ＬＥＤランプ構成については実施の形態１の図１及び図４（光源点灯装置１１０−１）と同様であるため、説明を省略する。ここでは本実施の形態３に係る光源点灯装置の動作について説明するが、実施の形態１と同様の動作については説明を省略する。
【００６１】
今、２本点灯状態から実施の形態１で述べた壁スイッチ操作を行い間引き点灯設定状態として、直管蛍光灯形ＬＥＤランプのいずれか一方、例えばここでは第１降圧コンバータ２４ａが動作停止状態となり、直管蛍光灯形ＬＥＤランプ２ａが消灯している状態を考える。実施の形態１で述べたように、間引き制御部２８を構成するマイコン内部に不揮発性メモリを有しており間引き点灯状態を記憶しておけば、次回の点灯から通常の壁スイッチオンで、常に第１降圧コンバータ２４ａは動作停止状態となり、直管蛍光灯形ＬＥＤランプ２ａが消灯状態となり、間引き点灯が実施される。
【００６２】
ところで、直管蛍光灯形ＬＥＤランプは、青色の光で発光するＬＥＤチップと、青色の光から黄色の光に変換する黄色蛍光体で構成される白色ＬＥＤパッケージが使用されることが多い。このような白色ＬＥＤパッケージは長時間点灯により徐々に黄色蛍光体の劣化や、ＬＥＤチップと黄色蛍光体を封止する樹脂の劣化が進み、光束が低下する。一般的に光束維持率が７０％となる時点がＬＥＤパッケージの寿命といわれ、およそ４００００時間が目安となる。
【００６３】
上述の方法により間引き点灯を行った場合、常にどちらか一方の直管蛍光灯形ＬＥＤランプ（ここでは直管蛍光灯形ＬＥＤランプ２ｂ）が点灯し、残りのランプ（ここでは直管蛍光灯形ＬＥＤランプ２ａ）は常に消灯状態となる。したがって直管蛍光灯形ＬＥＤランプ２ｂのみ劣化が進み、直管蛍光灯形ＬＥＤランプ２ａと直管蛍光灯形ＬＥＤランプ２ｂが均等に劣化しない現象が発生する。この場合、直管蛍光灯形ＬＥＤランプ２ｂが先に寿命となる。
【００６４】
この現象を抑制するため、本実施の形態３においては、壁スイッチ操作により間引き点灯設定にて点灯させる際、前回の間引き点灯設定状態で点灯していた直管蛍光灯形ＬＥＤランプを記憶しておき、それとは異なるランプの方を点灯させる。つまり、間引き制御部２８は、不揮発性メモリ２８−１に記憶する「間引き個数特定情報」に、現在である今回の間引きモードにおいて光源用直流電力の供給対象となる光源接続部がどの光源接続部かを特定する「光源接続部識別情報」を含める。間引き制御部２８は、「光源接続部識別情報」を用いることにより、今回の間引きモードと次回の間引きモードとにおける供給対象となる光源接続部（Ｎ−ｋ個、Ｎは光源接続部の総数、ｋは間引き個数）のなかに、少なくとも一つ、異なる光源接続部が存在するように光源電力供給部を制御する。
【００６５】
あるいは「間引き点灯設定」が記憶（間引きモードを不揮発的に記憶）され、常時間引き点灯で使用する場合、図１３に示すように、ランプを消灯して再度点灯させる度に点灯するランプを交互に切り替える。間引き制御部２８を構成するマイコンは、間引き点灯設定時に第１降圧コンバータ２４ａと第２降圧コンバータ２４ｂとのどちらを駆動したか不揮発性メモリ２８−１に記憶しておく。そして、次回点灯時にメモリ読み込みにより、次に起動すべき降圧コンバータを判断する。これにより、直管蛍光灯形ＬＥＤランプは点灯させる度に点灯するランプが直管蛍光灯形ＬＥＤランプ２ａと直管蛍光灯形ＬＥＤランプ２ｂで交互に切り替わるので、両者の点灯時間をほぼ同一にすることができる。このように、間引き制御部２８は、現在である今回の間引きモード制御を実行する場合には、前回の間引きモードでのＮ−ｋ個の個数である供給対象と、今回の間引きモードでのＮ−ｋ個の個数である供給対象との間に、異なる光源接続部（つまり光源ユニット）が存在するように制御を実行する。
【００６６】
あるいは別の方法として、間引き制御部２８を構成するマイコンは、間引き点灯実施時に点灯時間を累積点灯時間計測部２８−２を用いてカウントする。消灯時は点灯時間を不揮発性メモリ２８−１に記憶させておき、再点灯時にカウントを再開する。そして累積点灯時間が所定時間に達すると、点灯させるランプを切り替える。点灯させるランプが切り替わるとマイコンのカウンターはリセットされ、再度カウントを開始する。このように間引き制御部２８は、間引きモードの際は、点灯時間計測部２８−２が計測した累積点灯時間時応じて、供給対象とする光源接続部を決定する。つまり間引き制御部２８は、間引きモード制御の実行中において、点灯中の直管蛍光灯形ＬＥＤランプ２ａの累積点灯時間が設定点灯時間を越えるとこの直管蛍光灯形ＬＥＤランプが接続されている光源接続部への光源用直流電力の供給を光源電力供給部に停止させる。また、間引き制御部２８は、光源電力供給部に対して、累積点灯時間が設定点灯時間未満の直管蛍光灯形ＬＥＤランプが接続されている光源接続部であって供給対象から除外されている光源接続部への光源用直流電力の供給に切り替えさせ、設定点灯時間を越えた直管蛍光灯形ＬＥＤランプの累積点灯時間をリセットする。
【００６７】
このように間引き点灯の点灯時間に応じて、点灯させるランプを交互に切り替えることにより、直管蛍光灯形ＬＥＤランプ２ａと直管蛍光灯形ＬＥＤランプ２ｂの点灯時間を互いに等しくすることができる。なお、ランプ点灯中に累積点灯時間が所定時間に達し、例えば直管蛍光灯形ＬＥＤランプ２ａから直管蛍光灯形ＬＥＤランプ２ｂに切り替わると、その切り替わる瞬間にちらつきとなって感じる場合がある。
【００６８】
これを回避するため、図１４に示すように、点灯時間が所定の時間に達しても、直ちに点灯するランプを切り替えず、壁スイッチ１２で電源を遮断するまではそのままのランプで点灯を継続する。次に使用者が壁スイッチ１２にて電源を遮断し消灯し、その後再び使用者が壁スイッチ１２をオンして電源を投入した際、このタイミングにて点灯させるランプを切り替える。これによりランプ点灯中に点灯させるランプが切り替わらないようにして、ランプ切り替えによるちらつきを防止する。つまり、間引き制御部２８は、間引きモード制御の実行中において、点灯中の直管蛍光灯形ＬＥＤランプの累積点灯時間が設定点灯時間を越えると設定点灯時間を越えた直管蛍光灯形ＬＥＤランプの累積点灯時間をリセットし、次回の間引きモードの制御の際には設定点灯時間に達した直管蛍光灯形ＬＥＤランプが接続されている光源接続部を供給対象から光源電力供給部に除外させると共に、累積点灯時間が設定点灯時間未満の直管蛍光灯形ＬＥＤランプが接続されている光源接続部であって今回の間引きモードで供給対象から除外されている光源接続部への光源用直流電力の供給に切り替えさせる。
【００６９】
以上のように、間引き点灯状態の場合、壁スイッチ１２で電源を投入する度に点灯するランプが、前回の間引き点灯設定で点灯していた直管蛍光灯形ＬＥＤランプとは異なるランプの方を点灯させる、あるいは点灯時間をカウントし、所定期間経過後は点灯するランプを切り替えるので、間引き点灯を行っても、２本の直管蛍光灯形ＬＥＤランプの点灯時間は互いにほぼ等しくでき、片側のランプのみ寿命劣化してしまうことを抑制できる。
【００７０】
なお、図２に示すように、１つの壁スイッチ１２に多数の照明器具がつながれた状態で間引き点灯を行った際、例えば実施の形態２で述べたように、直管ＬＥＤランプが断線故障等して間引き点灯が無効となり、途中でランプ交換を行うと、タイミングによっては、他の照明器具と点灯するランプが異なってしまうことがある。このような場合、多数の照明器具の中で１台のみ点灯するランプが異なると、見た目が悪くなる可能性がある。そこで壁スイッチ１２により点灯位置をリセットする機能を設ける。壁スイッチ操作は間引き設定や通常の２本点灯設定を行う操作とは異なる操作方法とする。
【００７１】
例えば、２台の照明器具が壁スイッチ１２に接続され、間引き点灯された状態を想定する。最初は２台（ここでは器具Ａ、器具Ｂと呼ぶ）とも直管蛍光灯形ＬＥＤランプ２ａ→直管蛍光灯形ＬＥＤランプ２ｂ→直管蛍光灯形ＬＥＤランプ２ａという順に上述の通り切り替わるが、何らかの原因により、例えば器具Ａの直管蛍光灯形ＬＥＤランプ２ａが点灯している時に、器具Ｂでは直管蛍光灯形ＬＥＤランプ２ｂが点灯するようになってしまったとする。そこで、点灯するランプをすべて合せるため、図１５に示すように、壁スイッチ１２がオン状態から、所定期間Ｔ３以内に壁スイッチ１２を「オフ→オン→オフ→オン→オフ→オン」（接続部指定オンオフパターン）と、スイッチのオフ／オン動作を３回繰り返す。間引き制御部２８はこれをリセット動作と判断し、すべての器具で、直管蛍光灯形ＬＥＤランプ２ａが点灯するように降圧コンバータを制御する。これにより一旦すべての器具が同一ランプ（図１５では直管蛍光灯形ＬＥＤランプ２ａとする）で点灯するように設定できる。以後、再び壁スイッチ１２による消灯→点灯、または点灯時間に応じて点灯するランプが切り替わる。
【００７２】
このように、間引き制御部２８は、電源検出部によって特定のＮ−ｋ個の光源接続部に対する光源用直流電力の供給を指示する接続部指定オンオフパターンが検出されると、接続部指定オンオフパターンの指示する特定のＮ−ｋ個の光源接続部へ光源用直流電力を供給させる間引きモードの制御を光源電力供給部に対して実行する。
【００７３】
なお、光源としてはここではＬＥＤを用いて説明したが、他の光源でもよく、光源として有機ＥＬを用いても良い。光源点灯装置として力率改善回路と降圧コンバータを組み合わせた回路方式を例に挙げたが、この回路方式に限定するものではなく、商用交流電源から電力変換してＬＥＤに電流を供給できる回路方式であれば他の回路方式でもよく、例えばコンデンサインプット形整流回路とフライバックコンバータの組み合わせでもよい。２灯用照明器具として説明したが、２灯用に限定するものではなく、例えば３灯用照明器具でも構わない。
【００７４】
実施の形態４．
図１６を参照して実施の形態４の光源点灯装置１４０について説明する。照明器具の構成については実施の形態１の図１と同様であるため、説明を省略する。図１６に実施の形態４の光源点灯装置１４０の回路ブロック図及び直管蛍光灯形ＬＥＤランプ２ａ、２ｂ内部のＬＥＤ接続図を示す。実施の形態１と異なる部分は、間引き点灯設定無効スイッチ３５を設けたことである。間引き点灯設定無効スイッチ３５は、間引き制御部２８を構成するマイコンに接続され、マイコンは間引き点灯設定無効スイッチ３５のオン・オフ（切替信号）を検出する。その他の構成については実施の形態１の図４と同一構成であるため、説明を省略する。
【００７５】
次に本実施の形態４に係る光源点灯装置１４０の詳細動作について説明する。実施の形態１と同様の動作については説明を省略する。いま、実施の形態１で述べた方法と同様の壁スイッチ操作を行い、１つの壁スイッチ１２に接続された複数の照明器具に間引き点灯を実施する場合を考える。通常、図２のように、１つの壁スイッチ１２に対して複数の照明器具が接続されており、壁スイッチ操作により、接続されたすべての照明器具が間引き点灯状態となる。ところが、ある特定のエリアについては明るさが必要で、そのエリアに設置された照明器具は間引き点灯を実施したくないという要求が考えられる。
【００７６】
そこで対象となる照明器具に設置された光源点灯装置１４０の間引き点灯設定無効スイッチ３５をオンする。すると間引き制御部を構成するマイコンはスイッチがオンされたことを検出（無効を指示する切替信号）し、壁スイッチ操作による間引き点灯設定を無効とする。これにより壁スイッチ操作により間引き点灯設定を行っても間引き点灯を実施しない。スイッチがオフであれば、間引き制御部２８は有効指示の切替信号を検出する。
【００７７】
このように間引き制御部２８は、間引きモードの無効と有効とのいずれかを指示する切替信号を入力し、入力した切替信号が有効を指示する切替信号であれば以降に電源検出部によって特定オンオフパターンが検出された場合には、間引きモードの制御を光源電力供給部に対して実行し、入力した切替信号が無効を指示する切替信号であれば以降に電源検出部によって特定オンオフパターンが検出された場合でも、間引きモードの制御を光源電力供給部に対して実行しない。
【００７８】
これにより、１つの壁スイッチ１２に複数の照明器具が接続された状態で、ある特定の照明器具のみ間引き点灯を実施したくない場合は、その照明器具に搭載された光源点灯装置１４０の間引き点灯設定無効スイッチ３５にて間引き点灯を無効化すれば壁スイッチ１２による間引き点灯設定は無効となる。よって壁スイッチ操作にて間引き点灯設定を行った場合、間引き点灯を無効化した照明器具は通常の２本点灯状態を維持でき、その他の照明器具は間引き点灯状態に設定することができる。なお、間引き点灯設定無効スイッチ３５は外部から人が操作し易いように、照明器具の筐体外部に設け、配線を通じて光源点灯装置１４０と接続しても良い（図示せず）。
【００７９】
以上の実施の形態１〜４で説明したいずれかの光源点灯装置を搭載し、Ｎ個の光源接続部に接続される直流光源ユニットのうち少なくとも一つの直流光源ユニットとして、ＬＥＤとＥＬとの少なくともいずれかを用いた照明器具の実施形態も考えられる。
【００８０】
また、以上の実施の形態１〜４で説明したいずれかの光源点灯装置を搭載し、Ｎ個の光源接続部に接続される直流光源ユニットのうち少なくとも一つの直流光源ユニットとして、両端に口金を有する直管形状の直流光源ユニットを使用する照明器具の実施形態も考えられる。
【００８１】
以上の実施の形態の内容は組み合わせてもよいことはもちろんである。また、以上の実施の形態では壁スイッチで、光源点灯装置への交流電源をオンオフする場合を示したが、壁スイッチに限らず、集中制御装置で商用交流電源１１をオンオフ制御する場合や、リモコンを介して、リモコン信号に従って交流電源をオンオフする受信装置等でも構わない。
【符号の説明】
【００８２】
１  照明器具本体、２ａ，２ｂ  直管蛍光灯形ＬＥＤランプ、３  ソケット、１１  商用交流電源、１２  壁スイッチ、１９  力率改善回路、２４ａ  第１降圧コンバータ、２４ｂ  第２降圧コンバータ、２５  力率改善回路制御部、２６  降圧コンバータ制御部、２８  間引き制御部、１１０−１，１１０−２，１２０−１，１２０−２，１４０  光源点灯装置。
【図１】
0005449303.tif 000002
【図２】
0005449303.tif 000003
【図３】
0005449303.tif 000004
【図４】
0005449303.tif 000005
【図５】
0005449303.tif 000006
【図６】
0005449303.tif 000007
【図７】
0005449303.tif 000008
【図８】
0005449303.tif 000009
【図９】
0005449303.tif 000010
【図１０】
0005449303.tif 000011
【図１１】
0005449303.tif 000012
【図１２】
0005449303.tif 000013
【図１３】
0005449303.tif 000014
【図１４】
0005449303.tif 000015
【図１５】
0005449303.tif 000016
【図１６】
0005449303.tif 000017